(57)【要約】【課題】電子黒板装置において、低コストで容易に、筆記画像に付加画像データを付加可能な電子黒板装置を提供することを目的とする。【解決手段】本発明は、請求項１に記載するように、筆記シートと、この筆記シートに筆記された筆記画像を読取る読取装置と、この読取った筆記画像に、画像データを所定の位置に付加するための付加画像記録メモリと、外部機器との接続端子とを有し、この接続端子に接続されたパーソナルコンピュータによって、前記付加画像記録メモリに付加画像を記録することを特徴としている。【選択図】図２
2010089473.tif 000002
【特許請求の範囲】
【請求項１】
筆記シートと、この筆記シートに筆記された筆記画像を読取る読取装置と、この読取った筆記画像に、画像データを所定の位置に付加するための付加画像記録メモリと、外部機器との接続端子とを有し、この接続端子に接続されたパーソナルコンピュータによって、前記付加画像記録メモリに付加画像を記録することを特徴とする電子黒板装置。
【請求項２】
前記所定の位置は、筆記画像の筆記面上端より上の領域及び筆記面下端より下の領域の任意の位置であることを特徴とする請求項１項記載の電子黒板装置。
【請求項３】
前記パーソナルコンピュータによって、付加画像の大きさ及び、筆記画像に対しての配置する位置を設定することによって、この大きさ、及び配置位置を付加画像と共に記録可能とすることを特徴とする請求項１項記載の電子黒板装置。
【発明の詳細な説明】
【技術分野】
【０００１】本発明は、電子黒板装置であって、電子黒板装置で読取られた筆記画像情報に、外部機器によって作成された画像情報を追加することが可能な電子黒板装置に関するものである。
【背景技術】
【０００２】電子黒板装置は、白色の筆記シートに、マーカーで文字や図形を記入すると共に、この記入した表面を光学センサーにて画像情報として読み取り、読み取った画像情報を縮小して紙に印刷し、或いは記録する機能を有することを特徴としている。【０００３】特開平１１−７５００５号には、電子黒板装置をパーソナルコンピュータで制御する例が示されている。
また、特開１１−１８７１７７号には、電子黒板装置の筆記画像情報を、パーソナルコンピュータに出力する技術が示されている。
更に、特開平６２ー６７９５６号には、電子黒板装置に操作装置を有し、この操作装置によって電子黒板の筆記情報に画像情報を付加する技術が示されている。【０００４】
【特許文献１】特開平１１ー７５００５号
【特許文献２】特開平１１−１８７１７７号
【特許文献３】特開昭６２ー６７９５６号
【発明の開示】
【発明が解決しようとする課題】
【０００５】例えば、社名や学校名などの画像情報を筆記情報に追加したいとの要望がある。
また、電子黒板装置の筆記情報を機密管理するため、印刷時に常に「機密」或いは「社外秘」との画像情報を追加して印刷したいとの要望がある。
上記特許文献１及び文献２では、電子黒板装置の読取画像への画像情報の追加について何ら考慮されていない。
これに対し、特許文献３では、電子黒板装置の筆記に対して、専用の付加情報発生装置を設けて、この装置を用いて、情報を追加しているが、このような専用の装置を設ける場合コスト高となる。
特に、社名などの情報を追加するだけのために、専用の装置を設けることは、無駄が大きい。【０００６】電子黒板装置は、本来、ホワイトボードに筆記したデータを記録、或いは印刷するだけのために用いる利用者が多いため、低コストが望まれる一方、少数ではあるが、上述のような機能を望む利用者もいる。
このため、なるべく、低コストで情報付加機能を実現することができる電子黒板装置が望まれた。
【課題を解決するための手段】
【０００７】上記課題を解決するため、本発明は、請求項１に記載するように、筆記シートと、この筆記シートに筆記された筆記画像を読取る読取装置と、この読取った筆記画像に、画像データを所定の位置に付加するための付加画像記録メモリと、外部機器との接続端子とを有し、この接続端子に接続されたパーソナルコンピュータによって、前記付加画像記録メモリに付加画像を記録することを特徴としている。【０００８】更に、本発明では、請求項３に記載するように、パーソナルコンピュータによって付加画像の大きさ及び、配置位置を設定可能とし、この付加画像の位置及び、大きさも記録可能とするものである。
【発明の効果】
【０００９】本発明によれば、パーソナルコンピュータを利用することで、低コストかつ容易に、電子黒板装置の筆記画像に、所望の画像情報を追加することが可能となる。
【発明を実施するための最良の形態】
【００１０】以下、本発明を実施するための最良の形態について、図面を参照して詳細に説明する。
【実施例】
【００１１】以下、図に沿って本発明の一実施例を説明する。
図１は本発明の一実施例を示す正面図である。
１は電子黒板本体、２は本体の表面において、マーカーによって筆記を行う筆記シートであり、３はこの筆記シートの移動指示や、筆記シートの筆記を捜査し、筆記画像情報の読込みを行う指示、或いは読込んだデータを図示しないプリンタで印刷する指示などを行う操作パネル、４はパーソナルコンピュータや外部記録装置などの外部機器を接続するための接続端子である。
尚、本実施例では、接続端子４は、ユニバーサル・シリアル・バス（ＵＳＢ）端子を用いている。【００１２】図２を用いて、本実施例の電子黒板装置の制御部の構成、及び動作について説明する。
６は筆記シート２に書き込まれた文字や絵を本体１の裏面で読み込めるように、筆記シート２の表面を照明するための光源部、７は筆記シート２の記載内容を読み込むレンズと撮像素子で構成された読取装置（イメージスキャナ）である。
８はモータであり、筆記シート２は、画像読込み時に、このモータ８によって、移送される。
９は本実施例装置の動作を制御するＣＰＵであり、１０は読取り装置によって読取られた画像情報を記録する内部メモリ、１１は付加画像情報を記録する付加画像情報記録メモリ、１２は印刷時或いは出力時に、内部メモリの筆記データに、付加画像情報を追加して出力するためのバッファーメモリである。
１３は内部メモリ１０のデータを図示しないプリンタに出力するためのプリンタ接続端子、４はパーソナルコンピュータ５及び外部メモリ１５を接続するための外部接続端子である。【００１３】操作パネル３によって、コピーを指示するボタンが押されると、ＣＰＵ９の制御信号によりモータ８は駆動され、筆記シート２は、モータ８によって、移送される。
その移送動作に連動して、ＣＰＵ９の制御信号により光源６及び読取り装置７は駆動され、光源部６付近で筆記シートは、この光源部６によって照明され、読取装置７で画像が順次、縦長のライン状に取込まれる。
本実施例では、撮像素子として、ＣＣＤラインセンサが用いられている。
また、光源部６では、複数の半導体発光素子（ＬＥＤ）が縦長のライン状に配置されたものが用いられている。【００１４】読取り装置７によって、ライン毎に読取られた画像データは、内部メモリ１０で、合成されて１枚の画像データに構成される。
この１枚の画像データは、プリンタ接続端子１３を介して、図示しないプリンターに伝送され、プリンターによって印刷が行われる。
このとき、付加画像記録メモリ１１に記録された画像データが、バッファメモリ１２で筆記画像データと合成されて出力される。【００１５】外部メモリ１５或いはパーソナルコンピュータ５が、外部接続端子４に接続されると、バッファメモリ１２に記録された画像データは、外部メモリ５或いはパーソナルコンピュータ５に出力され記録される。
尚、記録に際しては、共通鍵暗号方式により暗号化されている。
これは、暗号化鍵と複合化鍵が同一の暗号化方式であり、公開鍵暗号化方式に比べて、高速に暗号化が可能である。
また、暗号化されたデータファイルは、パソコンにおいて、この暗号化ファイルをダブルクリックすることで、復号鍵の入力画面が表示され、復号鍵を入力することで自動的に復号される実行形式のファイルである。【００１６】尚、本電子黒板装置によって印刷された印刷画面を図３に示す。
筆記画像６は、縦、横向きに係わらず、適正な大きさで印刷用紙に印刷される。
付加画像７は、社外秘という文字画像データで、筆記画像の上の領域に、所謂ヘッダとして印刷される。また、付加画像８は、社名の文字画像データであり、筆記画像の下の領域に、所謂フッタとして印刷される。【００１７】尚、この付加データ７、８の付加画像記録メモリ１１への記録は、パーソナルコンピュータ５にて行われる。
パーソナルコンピュータによって、作成された付加画像データは所定の大きさに加工され、専用のアプリケーションソフトウエアによって、電子黒板側に転送され、記録される。
尚、このアプリケーションソフトは、図３に示すようなレイアウト面を有し、パーソナルコンピュータで作成された付加画像を読み込んで、筆記画像の上端から上の領域及び、筆記画像の下端から下の領域であって、任意の位置に、付加画像を配置可能であり、また読み込んだ付加画像の拡大、縮小が可能である。
また、直線などの線形状の記入も可能となっている。【００１８】付加画像記録メモリ１１に、一端記録された付加画像データは、再度パーソナルコンピュータによって別の付加画像に変更可能であるが、変更されない限り、電子黒板の電源をオフにしても付加画像記録メモリに記録保持される。【００１９】したがって、一端付加画像データが記録されると、利用者は何ら特別な操作をすることなく、プリントボタン、或いはパソコンに保存ボタンを押すことで自動的に付加画像が付加される。【００２０】本発明は、上述の実施例に限定されるものではなく、例えば、付加画像を付加する、しないを選択するスイッチを設けてもよい。
また、複数の付加画像を記録可能とし、選択した画像を付加できるようにしてもよい。
また、付加画像記録メモリは、上述のフラッシュメモリに限定されず、例えばＵＳＢメモリ等の外部記録媒体であってもよい。【００２１】更に、付加画像データは、筆記画像の上側領域、下側領域に限定されるものではなく、筆記画像の左側領域、或いは右側領域としてもよい。
また、これらの付加画像を、筆記画像領域を含めた任意の場所に配置可能としてもよい。
例えば、図４に示すように、筆記画像の背景画像として、社外秘という文字画像を付加して印刷し、或いは外部記録媒体に記録してもよい。
【産業上の利用可能性】
【００２２】本発明は、筆記画像の他に、パソコンで作成された画像を付加画像として付加することが可能な電子黒板装置を提供することが可能となる。
【図面の簡単な説明】
【００２３】
【図１】図１は、本発明の実施例の形態に係る主要な構成を示す正面図である。
【図２】図２は、本発明の実施例の制御部に係る構成図である。
【図３】図３は、本発明の実施例の装置によって付加画像が付加されて印刷された印刷面の状態を示す図である。
【図４】図４は、本発明の装置によって付加画像が付加されて印刷された印刷面の状態を示す図である。
【符号の説明】
【００２４】２：筆記シート
３：操作パネル
４：外部接続端子
５：パーソナルコンピュータ
１１：付加画像記録メモリ
【図１】
2010089473.tif 000003
【図２】
2010089473.tif 000004
【図３】
2010089473.tif 000005
【図４】
2010089473.tif 000006